(57)【要約】【課題】雨水が浸入した場合であっても、環境用作業機基台に貯留された漏洩液の流出を防止する。【解決手段】少なくともエンジン２と、エンジン２により駆動される作業機本体と、ラジエータ４とが筐体５内に収装され、筐体５には排風口７が開口形成されるとともに、筐体５の下部には環境ベース（環境用作業機基台）１０が着脱自在に取り付けられるエンジン駆動作業機１において、ラジエータ４の通風部４Ａよりも下方に位置し、排風口７から浸入する雨水を受ける水受け板１３と、筐体５の側面５Ａに形成され、水受け板１３で受けた雨水を筐体５外に排出する排水口１４と、を備える。【選択図】図２
2008298035.tif 000002
【特許請求の範囲】
【請求項１】
少なくともエンジンと、該エンジンにより駆動される作業機本体と、ラジエータとが筐体内に収装され、該筐体には前記ラジエータを冷却した風を排出する排風口が開口形成されるとともに、筐体の下部には、筐体内の機器からの漏洩液を受ける環境用作業機基台が着脱自在に取り付けられるエンジン駆動作業機において、
前記ラジエータの通風部よりも下方に位置し、前記排風口から浸入する雨水を受ける水受け板と、
前記筐体の側面に形成され、前記水受け板で受けた雨水を筐体外に排出する排水口と、
を備えることを特徴とするエンジン駆動作業機。
【請求項２】
前記水受け板の縁部に、水の溢れを防止する立上がり部が形成されていることを特徴とする請求項１に記載のエンジン駆動作業機。
【請求項３】
前記水受け板は、前記ラジエータ側から前記排水口に向かうにしたがって下方に傾斜するように形成されていることを特徴とする請求項１または請求項２に記載のエンジン駆動作業機。
【請求項４】
前記環境用作業機基台の底面は、ドレン管側に向かうにしたがって下方に傾斜するように形成されていることを特徴とする請求項１ないし請求項３のいずれかに記載のエンジン駆動作業機。
【発明の詳細な説明】
【技術分野】
【０００１】
本発明は、主に屋外で使用されるエンジン駆動式の発電機、溶接機、圧縮機、ポンプ等のエンジン駆動作業機に関する。
【背景技術】
【０００２】
従来、主に野外での建設工事等において使用されるエンジン駆動溶接機としては、エンジン、エンジンにより駆動される発電機、燃料タンク、電装品およびその他補器類を防音ケースなどの筐体に内蔵したタイプのものが知られている。ここで、何らかの理由でエンジンの燃料やオイル等の油類や冷却水（クーラント）などの液体が溶接機内で漏洩、飛散すると、溶接機内部が漏洩液で汚れ、さらには溶接機外部に漏出した場合には、溶接機の設置面周りを汚してしまい、土壌や河川などの外部環境に影響を与えるおそれがある。
【０００３】
そこで、これらの漏洩液が発生した場合に外部への流出を防ぐものとして、作業機のベース下部に燃料タンクを挿設した搬送用架台を設け、底面部を遮蔽することにより、漏洩液の流出を防止した技術がある（例えば、特許文献１参照）。つまり、搬送用架台の内部に漏洩液を一時的に貯留させておくことで外部への流出を防止している。
【特許文献１】特許第３３００９２３号公報
【発明の開示】
【発明が解決しようとする課題】
【０００４】
搬送用架台の内部に漏洩液を貯留させる前記技術は、あくまで作業機内の機器からの少量の漏洩液を対象としており、貯留できる量はそう多くない。また、装置の小型化の点からも貯留量が多くなるように設計することは難しい。したがって、例えば屋外設置時、ラジエータの冷却風を逃がす排風口を介して多量の雨水が筐体内に浸入した場合には、前記搬送用架台に雨水がそのまま流れ込み、油類などの漏洩液が溢れて外部に流出するおそれがある。
【０００５】
本発明は、このような問題を解消するために創作されたものであり、雨水が浸入した場合であっても、環境用作業機基台に貯留された漏洩液の流出を防止できるエンジン駆動作業機を提供することを目的としている。
【課題を解決するための手段】
【０００６】
前記課題を解決するため、本発明は、少なくともエンジンと、該エンジンにより駆動される作業機本体と、ラジエータとが筐体内に収装され、該筐体には前記ラジエータを冷却した風を排出する排風口が開口形成されるとともに、筐体の下部には、筐体内の機器からの漏洩液を受ける環境用作業機基台が着脱自在に取り付けられるエンジン駆動作業機において、前記ラジエータの通風部よりも下方に位置し、前記排風口から浸入する雨水を受ける水受け板と、前記筐体の側面に形成され、前記水受け板で受けた雨水を筐体外に排出する排水口と、を備えることを特徴とするエンジン駆動作業機とした。
【０００７】
このエンジン駆動作業機によれば、排風口から浸入した雨水は、環境用作業機基台に落下する前に水受け板に遮られたうえで排水口から外部に排出される。したがって、環境用作業機基台に溜まっている漏洩液の外部流出が防止される。
【０００８】
また、本発明においては、前記水受け板の縁部に、水の溢れを防止する立上がり部が形成されていることを特徴とするエンジン駆動作業機とした。
【０００９】
このエンジン駆動作業機によれば、大雨時にも環境用作業機基台へ雨水を落下させることなく排水口から排水させることができる。
【００１０】
また、本発明においては、前記水受け板は、前記ラジエータ側から前記排水口に向かうにしたがって下方に傾斜するように形成されていることを特徴とするエンジン駆動作業機とした。
【００１１】
このエンジン駆動作業機によれば、受けた雨水をスムースに排水口まで誘導できるので、排水効率が向上する。
【００１２】
また、本発明においては、前記環境用作業機基台の底面は、ドレン管側に向かうにしたがって下方に傾斜するように形成されていることを特徴とするエンジン駆動作業機とした。
【００１３】
このエンジン駆動作業機によれば、漏洩液が効率良くドレン管から排出される。
【発明の効果】
【００１４】
本発明によれば、筐体内に雨水などが浸入した場合であっても、環境用作業機基台に溜まっている漏洩液の外部流出を防止でき、環境用作業機基台の漏洩液貯留機能を維持できる。
【発明を実施するための最良の形態】
【００１５】
本発明に係るエンジン駆動作業機について図面を参照して説明する。図１ないし図３はそれぞれエンジン駆動作業機１の外観斜視図、部分側断面図、正面図であり、図４は水受け板１３、排水口１４を示す外観斜視図である。
【００１６】
図１ないし図４のいずれかを参照して、エンジン駆動作業機１は、少なくともエンジン２と、エンジン２により駆動される作業機本体３と、ラジエータ４とが直方体形状の筐体５内に収装された構成からなる。作業機本体３は、発電機、溶接機、圧縮機、ポンプ等であり、エンジン２により駆動する作業機器であればいずれでもよい。筐体５内には、その他に燃料タンクなどが内蔵される。
【００１７】
図２に示すように、ラジエータ４は、筐体５の一の側面５Ａに対して所定距離を空けて対向配置されている。ラジエータ４は、例えばコルゲートフィン型など公知のものである。符号６は冷却ファンを示し、ラジエータ４の通風部（コア部）４Ａに冷却風を送ることで冷却水（クーラント）の熱交換を行う。
【００１８】
ラジエータ４と筐体５の側面５Ａとに囲まれた空間の上方において、筐体５の天板には、ラジエータ４を冷却した風を排出する排風口７が複数、開口形成されている。筐体５の側面５Ａには、ラジエータ４の点検等を目的とした蓋材１５が螺子止めにより着脱自在に取り付けられており、この蓋材１５の内面にはラジエータ４に対する冷却風の整流機能を有する導風板８が取り付けられている。また、蓋材１５の外面側には取っ手１６が固設されている。ラジエータ４の上部にはラジエータカバー９が取り付けられる。
【００１９】
筐体５の下部には、環境ベース（請求項に記載の環境用作業機基台）１０が着脱自在に取り付けられる。環境ベース１０は、エンジン２の燃料やオイル等の油類、ラジエータ４の冷却水などの漏洩液を受ける箱状部材であって、筐体５に連結される上面の一部が開口形成され、内部は漏洩液を溜める貯留槽としての機能を担う。環境ベース１０の一側面には、開閉弁１２を有したドレン管１１が設けられている。
【００２０】
上記構造からなるエンジン駆動作業機１を雨天時に屋外で使用した場合、雨水が排風口７から環境ベース１０に浸入し、貯留されている漏洩液が環境ベース１０から溢れるおそれがある。この問題に対し、本発明は、ラジエータ４の通風部４Ａよりも下方に位置し、排風口７から浸入する雨水を受ける水受け板１３と、筐体５の側面５Ａに形成され、水受け板１３で受けた雨水を筐体５外に排出する排水口１４と、を備えた構成としている。
【００２１】
水受け板１３の設置場所をラジエータ４の通風部４Ａよりも下方とする理由は、ラジエータ４の通風部４Ａを通過する冷却風の流れを妨げないようにするためである。本実施形態の水受け板１３は矩形状の平板からなり、一端縁を折り曲げて前記蓋材１５の内面にあてがい、螺子止め等により固定している。水受け板１３の他端側は、ラジエータ４の下部周りと若干の隙間を空けて位置させるか、ラジエータ４の下部に軽く突き当てる程度とする。
【００２２】
排水口１４は、水受け板１３の前記一端縁に臨むように蓋材１５に穿設され、本実施形態では、横長の長孔を水受け板１３の前記一端縁に沿って複数穿設している。
【００２３】
水受け板１３の縁部には、雨水の溢れを防止する立上がり部１３Ａが形成されており、これによれば、大雨時にも環境ベース１０へ雨水を落下させることなく排水口１４から排水できる。立ち上がり部１３Ａは水受け板１３を曲げ加工することで形成してもよいし、溶接などにより別部材を取り付ける態様としてもよい。
【００２４】
また、水受け板１３を、ラジエータ４側から排水口１４に向かうにしたがって下方に傾斜するように形成すれば、受けた雨水をスムースに排水口１４まで誘導できるので、排水効率が向上する。
【００２５】
以上のように、ラジエータ４の通風部４Ａよりも下方に位置し、排風口７から浸入する雨水を受ける水受け板１３と、筐体５の側面５Ａに形成され、水受け板１３で受けた雨水を筐体５外に排出する排水口１４と、を備える構成とすることで、環境ベース１０への雨水の浸入を抑制でき、環境ベース１０に貯留された漏洩液の溢れを防止できる。
【００２６】
次に、環境ベース１０の底面の形状に関して図５を参照して説明する。図５（ａ）、（ｂ）はそれぞれ環境ベース１０の側断面図、正面図である。符号１０Ａは環境ベース１０の底面、つまり漏洩液の貯留槽としての底面を示している。従来、この底面１０Ａは水平面に形成されているが、水平に形成されていると、漏洩液が完全にドレン管１１から排出されないおそれがあった。
【００２７】
この問題に対し図５に示すように、底面１０Ａを、ドレン管１１側に向かうにしたがって下方に傾斜するように形成すれば、漏洩液を効率良くドレン管１１から排出させることができる。図５では、環境ベース１０の長手方向に関して傾斜角θ、幅方向に関して傾斜角αを形成した場合を示している。ドレン管１１の管口下端を底面１０Ａの最下部と段差なくつなげることで、漏洩液を完全にドレン管１１に導くことができる。
【００２８】
以上、本発明について好適な実施形態を説明した。本発明は、図面に記載したものに限定されることなく、その趣旨を逸脱しない範囲で設計変更が可能である。
【図面の簡単な説明】
【００２９】
【図１】エンジン駆動作業機の外観斜視図である。
【図２】エンジン駆動作業機の部分側断面図である。
【図３】エンジン駆動作業機の正面図である。
【図４】水受け板および排水口の外観斜視図である。
【図５】（ａ）、（ｂ）はそれぞれ環境ベースの側断面図、正面図である。
【符号の説明】
【００３０】
１      エンジン駆動作業機
２      エンジン
３      作業機本体
４      ラジエータ
４Ａ    通風部
５      筐体
７      排風口
１０      環境ベース（環境用作業機基台）
１０Ａ    底面
１１      ドレン管
１３      水受け板
１４      排水口
【図１】
2008298035.tif 000003
【図２】
2008298035.tif 000004
【図３】
2008298035.tif 000005
【図４】
2008298035.tif 000006
【図５】
2008298035.tif 000007